(57)【要約】【課題】  チャイルドシートを使用する場合には、ハンドル操作に支障のない状態で、防寒・防雨としての機能を果たし、チャイルドシートを使用しない場合には、良好にフィットさせてチャイルドシートを保護できる自転車用防寒・防雨カバーを提供する点にある。【解決手段】  自転車のハンドルに装着されるチャイルドシートの下端から上端までのほぼ全体を覆うための上下が開放された筒状でシート状の防水性を有するカバー本体３と、このカバー本体の上側でかつ前側に連結され、ハンドル１の左右両端のグリップ部１Ａ，１Ｂを除いた状態でカバー本体３の上端開口部をそれの上方から閉じるためのシート状の防水性を有する閉塞部４とから構成した。【選択図】        図１
0003109596.tif 000002
【実用新案登録請求の範囲】
【請求項１】
自転車のハンドルに装着されるチャイルドシートの下端から上端までのほぼ全体を覆うための上下が開放された筒状でシート状の防水性を有するカバー本体と、このカバー本体の上側でかつ前側に連結され、ハンドルの左右のグリップ部を除いた状態で該カバー本体の上部開口部をそれの上方から閉じるためのシート状の防水性を有する閉塞部とから構成してなる自転車用防寒・防雨カバー。
【請求項２】
前記カバー本体の後側面又は左右の横側面に備えさせたポケットと、前記閉塞部を閉じたときに前記ポケットの上端開口部を閉じるために該閉塞部に備えさせた蓋部と、前記ポケットを蓋部にて閉じた状態においてその状態を保持するための保持手段とを設けてなる請求項１記載の自転車用防寒・防雨カバー。
【請求項３】
前記保持手段が、前記ポケット及び蓋部にそれぞれ備えさせた面ファスナーから構成してなる請求項２に記載の自転車用防寒・防雨カバー。
【請求項４】
前記閉塞部を開放してチャイルドシートに子供を着座させて使用する場合において前記閉塞部を着座している子供の首から下の前側上半身を覆うための前掛けとなる長さに設定し、前記閉塞部又は蓋部に子供の首に回して該閉塞部を子供に固定するための紐を備えさせてなる請求項１又は２に記載の自転車用防寒・防雨カバー。
【請求項５】
前記カバー本体の下部に該カバー本体の下端開口部を窄めるための紐又はゴム体を備えさせてなる請求項１〜４のいずれかに記載の自転車用防寒・防雨カバー。
【請求項６】
前記カバー本体及び閉塞部のいずれか一方に、前記左右のグリップ部を握ることができる空間を備えた状態で、該左右のグリップ部を覆うことができるグリップ用カバー部を備えさせてなる請求項１〜５のいずれかに記載の自転車用防寒・防雨カバー。
【考案の詳細な説明】
【技術分野】
【０００１】
本考案は、自転車のハンドルに備えられるチャイルドシートを使用しない場合には、完全に被覆し、チャイルドシートを使用する場合には、取り外すことなく使用することができる自転車用防寒・防雨カバーに関する。
【背景技術】
【０００２】
上記自転車用防寒・防雨カバーとしては、チャイルドシートを使用しない場合に、チャイルドシート全体を上から完全に覆い被せることができるように、下方開放型の袋状のカバーにしたものが既に提案されている（例えば特許文献１参照）。
また、チャイルドシートを使用する場合に、乗っている子供をチャイルドシートとともに覆うことができる縦長状のコートに構成されたカバーも提案されている（例えば特許文献２参照）。
【特許文献１】特開平１１−３４８８５９号公報（図７、図９参照）
【特許文献２】実開平２−１３６００８号公報（図１〜図３参照）
【考案の開示】
【考案が解決しようとする課題】
【０００３】
特許文献１では、チャイルドシートを使用する場合には、カバーを取り外す作業が必要になるだけでなく、防寒や防雨としてのカバーの役割を果たさないものであった。また、特許文献２では、防寒・防雨カバーとして利用することができるものの、チャイルドシートを使用しない場合に、縦長状のコートをチャイルドシートを覆うためのカバーとして利用することができないものであった。しかも、いずれのカバーも、ハンドルに備えさせたチャイルドシートを上から被せようとするとハンドルも完全に覆ってしまうため、カバーを取り付けて自転車を使用することができないものであった。
【０００４】
本考案が前述の状況に鑑み、解決しようとするところは、チャイルドシートを使用する場合には、ハンドル操作に支障のない状態で、防寒・防雨としての機能を果たし、チャイルドシートを使用しない場合には、良好にフィットさせてチャイルドシートを保護できる自転車用防寒・防雨カバーを提供する点にある。
【課題を解決するための手段】
【０００５】
本考案は、前述の課題解決のために、自転車のハンドルに装着されるチャイルドシートの下端から上端までのほぼ全体を覆うための上下が開放された筒状でシート状の防水性を有するカバー本体と、このカバー本体の上側でかつ前側に連結され、ハンドルの左右のグリップ部を除いた状態で該カバー本体の上部開口部をそれの上方から閉じるためのシート状の防水性を有する閉塞部とから、自転車用防寒・防雨カバーを構成した。
上記のようにチャイルドシートを覆うためのカバー本体と、カバー本体の上部開口部をそれの上方から閉じる閉塞部とから構成することによって、チャイルドシートを使用しない場合には、ハンドルの左右のグリップ部を除いてチャイルドシートを確実に覆うことができるから、自転車の運転に支障を来すことがない状態でチャイルドシートを確実に覆うことができる。
【０００６】
前記カバー本体の後側面又は左右の横側面に備えさせたポケットと、前記閉塞部を閉じたときに前記ポケットの上端開口部を閉じるために該閉塞部に備えさせた蓋部と、前記ポケットを蓋部にて閉じた状態においてその状態を保持するための保持手段とを設けてよい。
【０００７】
前記保持手段を、前記ポケット及び蓋部にそれぞれ備えさせた面ファスナーから構成してもよい。
【０００８】
前記閉塞部を開放してチャイルドシートに子供を着座させて使用する場合において前記閉塞部を着座している子供の首から下の前側上半身を覆うための前掛けとなる長さに設定し、前記閉塞部又は蓋部に子供の首に回して該閉塞部を子供に固定するための紐を備えさせてもよい。
【０００９】
前記カバー本体の下部に該カバー本体の下端開口部を窄めるための紐又はゴム体を備えさせてもよい。
【００１０】
前記カバー本体及び閉塞部のいずれか一方に、前記左右のグリップ部を握ることができる空間を備えた状態で、該左右のグリップ部を覆うことができるグリップ用カバー部を備えさせてもよい。
【考案の効果】
【００１１】
チャイルドシートを覆うためのカバー本体と、カバー本体の上部開口部をそれの上方から閉じる閉塞部とから構成することによって、チャイルドシートを使用しない場合には、自転車の運転（ハンドル操作）に支障を来すことがない状態でチャイルドシートを良好かつ確実に覆ってチャイルドシートが雨に濡れたり、埃や塵が付着することを回避することができる。また、チャイルドシートを使用する場合には、前記同様に自転車の運転（ハンドル操作）に支障を来すことがない状態で子供（特に幼児）を乗せて使用することができ、カバー本体及び蓋部を防寒・防雨カバーとして利用することができる有益な自転車用防寒・防雨カバーを提供することができる。
【００１２】
カバー本体の後側面又は左右の横側面に備えさせたポケットと、閉塞部を閉じたときにポケットの上端開口部を閉じるために閉塞部に備えさせた蓋部と、ポケットを蓋部にて閉じた状態においてその状態を保持するための保持手段とを設けることによって、閉塞部を閉じることに伴ってポケットの開口部をも閉じることができ、操作性において有利な商品価値の高いものにすることができる。
【００１３】
保持手段を、ポケット及び蓋部にそれぞれ備えさせた面ファスナーから構成することによって、一方にボタンを備えさせ、他方にそのボタンが入り込む係止孔を形成する構成に比べて、保持及び保持解除のための操作を容易迅速に行うことができる。
【００１４】
閉塞部を開放してチャイルドシートに子供を着座させて使用する場合において閉塞部を着座している子供の首から下の前側上半身を覆うための前掛けとなる長さに設定し、閉塞部又は蓋部に子供の首に回して閉塞部を子供に固定するための紐を備えさせることによって、自転車の走行中に子供の首から下の前側上半身を覆っている閉塞部が位置がずれてしまうことがなく、閉塞部にて防寒・防雨機能を確実に発揮させることができる。
【００１５】
カバー本体の下部にカバー本体の下端開口部を窄めるための紐又はゴム体を備えさせることによって、カバー本体の下端開口から入り込んでくる風や埃、あるいは雨を確実に遮断することができる。
【００１６】
前記カバー本体及び閉塞部のいずれか一方に、前記左右のグリップ部を握ることができる空間を備えた状態で、該左右のグリップ部を覆うことができるグリップ用カバー部を備えさせることによって、冬の時期においては手に雨がかかってしまい、手が凍えてしまうようなことがない。又、梅雨の時期などの雨天時において手が濡れてしまい、ブレーキレバーが滑り易く操作し難いといったことがない。
【考案を実施するための最良の形態】
【００１７】
図１〜図３に、中間部がほぼＵ字状に屈曲形成されたハンドル１に載せた状態で装着したチャイルドシート２及びハンドル１の左右のグリップ部１Ａ，１Ｂを除いたＵ字部分を覆って雨や埃などから保護するための自転車用防寒・防雨カバー（以下、単にカバーという）Ａを示している。
このカバーＡは、表面に撥水・防水加工が施されて防水性を備えるとともにチャイルドシート２の下端から上端までのほぼ全体を覆うことができる寸法に構成され、かつ、上から被せることができるように上下に開口を備えた筒状でシート状のカバー本体３と、このカバー本体３の上端開口部を閉じるためのシート状で表面に撥水・防水加工が施されて防水性を備える閉塞部４とを主要構成部材としている。前記ハンドル１の形状は、Ｕ字状に限らず一直線状のものやほぼＶ字状のものであってもよい。前記チャイルドシート２としては、図３に示すようなプラスチック又は金属あるいは木でなるほぼバスケット型のものや、金属の多数の棒を繋ぎ合わせたものから構成してもよい。
【００１８】
前記閉塞部４は、カバー本体３の前後方向ほぼ半分（前側の一部でもよい）の前側上端に縫い付けられて一体化されているが、接着剤などを用いて一体化してもよい。また、前記閉塞部４の後端に、前記カバー本体３の外側の後側面に備えさせたポケット５の上端開口部を閉じるためのほぼ半円状（三角形や四角形あるいは多角形などでもよい）の蓋部６を縫い付けている（接着剤などで連結してもよい）。また、前記ポケット５の外面に縦長状の面ファスナー７を縫い付け（接着剤で固定してもよい）て、この面ファスナー７に対して係脱自在な正方形又は横長状の面ファスナー８を蓋部６の内面に縫い付け（接着剤で固定してもよい）てあり、蓋部６をポケット５に当て付けることによって、面ファスナー７，８同士が係止してポケット５に蓋部６を保持させる保持手段９を構成している。前記保持手段９としては、面ファスナー７，８から構成することによって、保持及び保持解除のための操作を容易迅速に行うことができる利点があるが、ポケット５と蓋部６のいずれか一方にボタンを取り付け、このボタンを入り込ませて係止保持させる孔を他方に備えさせて保持手段９を構成してもよいし、一対のホックから構成してもよく、保持手段９としての具体的構成は自由に変更することができる。前記ポケット５側の面ファスナー７を縦長状のものを用いることによって、蓋部６側の面ファスナー８が多少位置ずれしても両者の係止が行えるようになっているが、両方の面ファスナー７，８を同一の大きさに構成して実施することもできる。前記ポケット５に、濡れたサドルを拭くためのタオルを入れたり、自転車用の工具の他、お菓子やおもちゃなどを入れてもよい。
【００１９】
前記閉塞部４の周縁内面の適当箇所（図では２箇所）に、面ファスナー１０を備えさせ、これら面ファスナー１０，１０に係脱自在な面ファスナー１１，１１をこれに対応するカバー本体３の上端部適当箇所（図では２箇所）に備えさせて、閉塞部４をカバー本体３に確実に固定することができるようになっているが、これら面ファスナー１０，１１を省略して前記保持手段９のみで閉塞部４をカバー本体３に固定する構成であってもよい。又、前記面ファスナー１０，１１に代えて紐やファスナーあるいはホックなどにより、閉塞部４をカバー本体３に固定するようにしてもよい。また、前記閉塞部４、蓋部６、カバー本体３のいずれか一つの外面の適当箇所に、１つ又は２つ以上の光反射帯（図示せず）を備えさせて実施することもできる。前記光反射帯は、光が入射した方向に光を高輝度にキラキラ反射する性質を有する光反射テープや、蓄光塗料を布や合成樹脂などに塗布して光を吸収して蓄え、蓄えた時間のみ発光する蓄光テープなどを含むものである。
【００２０】
前記カバー本体３の下部の内面側に、図２に示すように、全周（一部分でもよい）に渡って下端開口部を窄めるためのテープ状のゴム体１２を備えさせてあり、カバー本体３の下端開口部を窄めることで自転車の走行時に下方から風が入ってくることをできる限り阻止することができるようにしているが、特に暑い夏には逆に風がカバー本体３の下端開口部から入って来やすいように下端開口部を開放状態にして実施することもできる。前記ゴム体１２を紐から構成し、この紐を縛ることによって、カバー本体３の下端開口部を窄めるようにしてもよい。また、前記カバー本体３の内面に、チャイルドシート２の適当箇所に括りつけてカバー本体３をチャイルドシート２に強固に固定することができるようにしてもよい。
【００２１】
このように構成されたカバーをチャイルドシート２に装着する場合には、図３に示すように（図ではチャイルドシート２の前端に取り付けた小さなカゴ１３に丸めた前記カバーを収納している状態も合わせて示している）、カバー本体３の下端開口部を、自転車のハンドル１の左右両端のグリップ部１Ａ，１Ｂのうちの一方１Ａから通してから、他方のグリップ部１Ｂを通して下方へ移動させる（カバー本体３の下端開口部を左右のグリップ部１Ａ，１Ｂを一挙に通すことができるように大きく広げて下方へ移動させてもよい）ことによって、最も左右両端に位置し、かつ、上部に位置するグリップ部１Ａ，１Ｂを除くハンドル部分とチャイルドシート２の下端から上端までのほぼ全体をカバー本体３にて覆うことができるようになっている。次に、閉塞部４の蓋部６をポケット５に当て付けることによって、面ファスナー７，８同士が係止し、両者を固定し、左右方向外方側に延びるグリップ部１Ａ，１Ｂをカバー本体３の上端と閉塞部４の下端とで挟み込んだ状態で閉塞部４にてカバー本体３の上端開口部を閉じた状態で固定することができるようになっている。このとき、カバー本体３の面ファスナー１０と閉塞部４の面ファスナー１１とが係止して、閉塞部４をカバー本体３に強固に固定してチャイルドシート２をカバーにて保護することができるようになっている。そして、チャイルドシート２に子供（特に幼児）を着座させて（乗せて）使用する場合には、面ファスナー７，８，１０，１１の係止を解除して閉塞部４を開放状態にすることによって、図４に示すように、子供Ｍを着座させる（乗せる）ことができるようにしている。前記チャイルドシート２に子供を乗せない場合には、荷物置きの前カゴとして使用することもできる。この前カゴとして使用する場合には、足載せ部が無い底板部を備えた前カゴ専用のバスケット型のものから構成してもよい。
【００２２】
図５に示すように、閉塞部４を着座させた子供の前側上半身を覆うことができる前掛け（エプロン）として利用できる長さに設定してあり、前記蓋部６に左右一対の紐１４，１４の一端を縫い付けて備えさせておくことによって、紐１４，１４を子供Ｍの首に回して首の後で括っておくことによって、閉塞部４が子供からずれてしまうことがないようにしている。このように前掛けとして利用することで、走行中に風や雨が子供Ｍに当たることがないようにしている。前記紐に代えて、ゴム紐や面ファスナーなどであってもよい。
【００２３】
図６及び図７に示すように、前記閉塞部４（カバー本体３でもよい）の左右両端のそれぞれに、前記左右のグリップ部１Ａ，１Ｂを握ることができる内部空間４Ｋを備えた状態で、該左右のグリップ部１Ａ，１Ｂを覆うことができ、両端から手を差し入れることができるグリップ用カバー部４Ａを一体的に備えさせて実施することもできる。このようにグリップ用カバー部４Ａを備えさせることによって、例えば冬の時期に手袋をして自転車で走っているときに雨が手袋にかかってしまうことを阻止することができるだけでなく、夏の時期に手が雨で濡れてしまい、ブレーキレバーが滑って操作し難いといったことを回避することができる。前記グリップ用カバー部４Ａが不要な場合には、閉塞部４の内側に折り畳んでおくこともできる。又、前記グリップ用カバー部４Ａを閉塞部４に面ファスナー又は紐などを用いて着脱自在に取り付けておく場合には、グリップ用カバー部４Ａを取り外しておくことになる。尚、図６及び図７では、ハンドル１に取り付けているベルが、前記グリップ用カバー部４Ａにて覆われているが、図８に示すように、ベル１５の上部のみが外部に突出し、ベル１５の操作レバー１５Ａが内部空間４Ｋ内に位置するように前記グリップ用カバー部４Ａの上面に開口４Ｈを形成できる構成としてもよい。この場合、操作レバー１５Ａをグリップ部１Ａを握った状態で容易に操作することができながらも、ベル１５の音が外部に確実に伝達されるようにしている。尚、前記グリップ用カバー部４Ａからハンドル側へ延出された延出部４Ｚにて開口４Ｈが形成されるように構成し、その延出部４Ｚの先端とグリップ用カバー部４Ａとを、ホック又は面ファスナーあるいは紐などを用いて連結固定することになる。
【図面の簡単な説明】
【００２４】
【図１】ハンドルに装着したチャイルドシートをカバーにて覆った状態を示す背面図である。
【図２】ハンドルに装着したチャイルドシートをカバーにて覆った状態を示す側面図である。
【図３】ハンドルに装着したチャイルドシートをカバーにて覆う直前の状態を示す背面図である。
【図４】閉塞部を開放状態にしてチャイルドシートに子供を着座させた状態を示す側面図である。
【図５】開放状態にした閉塞部をチャイルドシートに着座させた子供の前掛けとして利用した状態を示す側面図である。
【図６】ハンドルに装着したチャイルドシートを別の構成のカバーにて覆った状態を示す背面図である。
【図７】ハンドルに装着したチャイルドシートを別の構成のカバーにて覆った状態を示す側面図である。
【図８】ハンドルに装着したチャイルドシートを別の構成のカバーにて覆った状態を示す背面図である。
【符号の説明】
【００２５】
１  ハンドル
１Ａ，１Ｂ  グリップ部
２  チャイルドシート
３  カバー本体
４  閉塞部
４Ａ  グリップ用カバー部
４Ｋ  空間
５  ポケット
６  蓋部
７，８  面ファスナー
９  保持手段
１０，１１  面ファスナー
１２  ゴム体
１３  カゴ
１４，１４  紐
Ａ  カバー
Ｍ  子供
【図１】
0003109596.tif 000003
【図２】
0003109596.tif 000004
【図３】
0003109596.tif 000005
【図４】
0003109596.tif 000006
【図５】
0003109596.tif 000007
【図６】
0003109596.tif 000008
【図７】
0003109596.tif 000009
【図８】
0003109596.tif 000010